(57)【要約】  【課題】  レベルメータ機能を実現するために用いることができ、尚かつ低コスト化、省電力化、及び小型化を図ることができる電子チューナを提供する。  【解決手段】  バスコントローラを内蔵し外部から前記バスコントローラに入力されるデータに応じた同調電圧を生成するＰＬＬ７と、前記同調電圧によって制御されるＶＣＯ８と、ＶＣＯ８から出力される局部発振信号を用いて入力信号を周波数変換して出力するミキサ６と、ミキサ６の出力信号に基づいてＲＦ_ＡＧＣ電圧ＶRF_AGCを生成するＲＦ＿ＡＧＣ出力回路１０と、ＲＦ_ＡＧＣ電圧ＶRF_AGCをデジタル信号ＳDに変換して前記バスコントローラに送るＡ／Ｄコンバータ１２と、ＲＦ_ＡＧＣ電圧ＶRF_AGCによって制御されるＲＦアンプ４とを備える電子チューナ。【選択図】      図１
2005333196.tif 000002
【特許請求の範囲】
【請求項１】
バスコントローラを内蔵し外部から前記バスコントローラに入力されるデータに応じた同調電圧を生成するＰＬＬ回路と、
前記同調電圧によって制御される電圧制御発振回路と、
前記電圧制御発振回路から出力される局部発振信号を用いて入力信号を周波数変換して出力するミキサと、
前記ミキサの入力信号又は出力信号に基づいて電子チューナのゲインを制御するためのゲイン制御電圧を生成するゲイン制御電圧出力回路と、
前記ゲイン制御電圧をデジタルデータに変換して前記バスコントローラに送るＡ／Ｄコンバータとを備えることを特徴とする電子チューナ用集積回路。
【請求項２】
受信信号を入力する入力端子と、
請求項１に記載の電子チューナ用集積回路と、
前記入力端子と電子チューナ用集積回路との間に設けられ、前記電子チューナ用集積回路内のゲイン制御電圧出力回路が生成するゲイン制御電圧によって制御される可変利得回路とを備えることを特徴とする電子チューナ。
【請求項３】
請求項２に記載の電子チューナと、
報知手段と、
バスと、
前記電子チューナ内のＰＬＬ回路に内蔵されるバスコントローラに前記バスを介して同調電圧の値を設定するためのデータを送るとともに、前記バスを介して前記バスコントローラからゲイン制御電圧のデジタルデータを受け取り、前記デジタルデータに基づいて受信信号のレベルを求め、前記受信信号のレベルを前記報知手段に報知させる制御部とを備えることを特徴とする電子機器。
【発明の詳細な説明】
【技術分野】
【０００１】
本発明は、ＴＶ、ＶＣＲ、ＤＶＤ機器、携帯電話装置等の電子機器に設けられる電子チューナに関するものである。
【背景技術】
【０００２】
ここでは各ＴＶ放送局より送信される多数の信号の一つを選局し、希望の番組を受信するための電子チューナを例に挙げて説明する。かかる電子チューナの一構成例を図３に示す。図３に示す電子チューナ２０１は、ＲＦ入力端子２と、バンドパスフィルタ（ＢＰＦ）３と、ＲＦアンプ４と、バンドパスフィルタ（ＢＰＦ）５と、ミキサ回路６と、ＰＬＬ回路７と、電圧制御発振回路（ＶＣＯ）８と、ＲＦ＿ＡＧＣ出力回路１０とを備えている。そして、ＲＦ入力端子２にアンテナ１が接続され、ミキサ回路６とＲＦ＿ＡＧＣ出力回路１０との接続ノードに復調回路９が接続される。なお、ミキサ回路６、ＰＬＬ回路７、及び電圧制御発振回路（ＶＣＯ）８は１チップの集積回路１０１に搭載されている。
【０００３】
アンテナ１によって受信された多数の受信信号がＲＦ入力端子２に入力され、先ず、ＰＬＬ回路７が生成する同調電圧ＶSYNCに応じてフィルタ特性が変化するバンドパスフィルタ３により多数の受信信号の中から受信希望信号のみが選別される。バンドパスフィルタ３によって選別された受信希望信号がＲＦアンプ４で増幅される。
【０００４】
その後、ＰＬＬ回路７が生成する同調電圧ＶSYNCに応じてフィルタ特性が変化するバンドパスフィルタ５によりＲＦアンプ４の出力信号の中から受信希望信号のみが更に選別され、ミキサ回路６に入る。また、ミキサ回路６には、電圧制御発振回路８が発振する局部発振信号ＳLOCALも入力される。なお、局部発振信号ＳLOCALの周波数は、ＰＬＬ回路７が生成する同調電圧ＶSYNCに応じて変化する。
【０００５】
ミキサ回路６は、受信希望信号と局部発振信号ＳLOCALを混合することにより周波数変換をおこない、受信希望信号を中間周波（ＩＦ）信号ＳIFにダウンコンバートして出力する。中間周波信号ＳIFの周波数は局部発振信号ＳLOCALの周波数と受信希望信号の周波数との差により決定される。
【０００６】
ＰＬＬ回路７は、Ｉ2Ｃバスコントローラ等のバスコントローラ（図示せず）を内蔵しており、Ｉ2Ｃバス等のバス１１を介してマイクロコンピュータ等の外部回路（図示せず）とデジタル的に接続されている。これにより、マイクロコンピュータ等の外部回路がＰＬＬ回路７の制御を行うことができ、ＰＬＬ回路７がＰＬＬ回路７の内部ステータスをマイクロコンピュータ等の外部回路に送ることができる。
【０００７】
ＰＬＬ回路７は、マイクロコンピュータ等の外部回路の制御に従って、受信希望チャンネル毎に異なる値の同調電圧ＶSYNCを生成する。これにより、局部発振信号ＳLOCALの周波数は受信希望信号の周波数に比例して変更され、ミキサ回路６から出力される中間周波信号ＳIFは常に一定の周波数となる。
【０００８】
ミキサ回路６から復調回路９に送出される中間周波信号ＳIFは、復調回路９によって復調される。例えばデジタルＴＶ放送を受信する場合、復調回路９には中間周波信号ＳIFをデジタル復調してトランスポートストリーム等のデジタル信号を得る復調回路を用いる。また、アナログＴＶ放送を受信する場合、復調回路９には中間周波信号ＳIFをアナログ復調して映像信号や音声信号等のアナログ信号を得る復調回路を用いる。
【０００９】
電子チューナへ入力される受信信号のレベルにはかなりの幅（−８０dBm〜＋１０dBm位）があるが、どの入力レベルでも安定した性能を確保する必要がある。そのため、通常ＲＦアンプ４は可変利得増幅器になっており、ＲＦアンプ４の利得は外部からのＲＦ_ＡＧＣ電圧によって制御される。図３に示す電子チューナには、ＲＦ_ＡＧＣ電圧を発生させるためにＲＦ_ＡＧＣ出力回路１０が設けられている。ＲＦ_ＡＧＣ出力回路１０は、ミキサ回路６から出力される中間周波信号ＳIFを入力し、その入力した中間周波信号ＳIFのレベルと予め設定している基準レベルとの差に比例させてＲＦ_ＡＧＣ電圧ＶRF_AGCを発生させている。
【特許文献１】特開２０００−３３２５７８号公報
【特許文献２】特開２００２−１１１５２３号公報（第３頁、第１図）
【発明の開示】
【発明が解決しようとする課題】
【００１０】
電子チューナを備えたＴＶ、ＶＣＲ、ＤＶＤ機器、携帯電話等の電子機器には、アンテナから入力される受信信号のレベルを例えば表示装置の画面表示等によってユーザに報知するレベルメータ機能を有するものがある（例えば、特許文献２参照）。このレベルメータ機能は、アンテナを固定して受信信号を受信するＴＶ、ＶＣＲ、ＤＶＤ機器ではアンテナの最適設置位置を知るのに役立ち、携帯電話等の機器においても受信状態を知るのに便利である。
【００１１】
このレベルメータ機能は種々の方法で実現することができるが、最も簡単な方法はＲＦアンプの状態に関する情報をＩ2Ｃバス等のバスを介してマイクロコンピュータ等の外部回路に送り、マイクロコンピュータ等の外部回路がＲＦアンプの状態に関する情報を処理してアンテナから入力される受信信号のレベルを表示装置等の報知手段に報知させる方法である。この方法において、マイクロコンピュータ等の外部回路の処理はソフト的なものであるので回路の増加などは必要ないが、ＲＦアンプの状態に関する情報をＩ2Ｃバス等のバスを介してマイクロコンピュータ等の外部回路に送る回路を電子チューナに追加する必要がある。
【００１２】
上記最も簡単な方法によってレベルメータ機能を実現するために用いられる従来の電子チューナの構成を図４に示す。なお、図４において図３と同一の部分には同一の符号を付し詳細な説明を省略する。
【００１３】
図４に示す電子チューナは、図３に示す電子チューナにＡ／Ｄコンバータ１２とＩ2Ｃバスコントローラ等のバスコントローラ１３とを追加した構成である。Ａ／Ｄコンバータ１２はアナログ信号であるＲＦ_ＡＧＣ電圧ＶRF_AGCをデジタル信号ＳDに変換し、Ｉ2Ｃバスコントローラ等のバスコントローラ１３はＡ／Ｄコンバータ１２から出力されるデジタル信号ＳDをＩ2Ｃバス等のバス１４及び１１を介してマイクロコンピュータ等の外部回路（図示せず）に送る。この追加されたＡ／Ｄコンバータ１２及びバスコントローラ１３は、電子チューナの回路構成を複雑にし、低コスト化、省電力化、及び小型化の妨げとなっていた。
【００１４】
本発明は、上記の問題点に鑑み、レベルメータ機能を実現するために用いることができ、尚かつ電子チューナの低コスト化、省電力化、及び小型化を図ることができる電子チューナ用集積回路並びにこれを用いた電子チューナ及び電子機器を提供することを目的とする。
【課題を解決するための手段】
【００１５】
上記目的を達成するために本発明に係る電子チューナ用集積回路においては、バスコントローラを内蔵し外部から前記バスコントローラに入力されるデータに応じた同調電圧を生成するＰＬＬ回路と、前記同調電圧によって制御される電圧制御発振回路と、前記電圧制御発振回路から出力される局部発振信号を用いて入力信号を周波数変換して出力するミキサと、前記ミキサの入力信号又は出力信号に基づいて電子チューナのゲインを制御するためのゲイン制御電圧を生成するゲイン制御電圧出力回路と、前記ゲイン制御電圧をデジタルデータに変換して前記バスコントローラに送るＡ／Ｄコンバータとを備える構成としている。
【００１６】
このような構成によると、電子チューナのゲインを制御するためのゲイン制御電圧をデジタル変換したデジタル信号を前記Ａ／Ｄコンバータから前記ＰＬＬ回路に内蔵されている前記バスコントローラに送られるので、前記ＰＬＬ回路に内蔵されている前記バスコントローラが前記デジタル信号をバスを介してマイクロコンピュータ等の外部回路に送ることができる。したがって、本発明に係る電子チューナ用集積回路は、レベルメータ機能を実現するために用いることができる。また、本発明に係る電子チューナ用集積回路は、同調電圧の値を設定するためのデータをバスを介して外部から入力するバスコントローラと、前記デジタル信号をバスを介してマイクロコンピュータ等の外部回路に送るバスコントローラとを共用化して前記ＰＬＬ回路に内蔵しているので、低コスト化、省電力化、及び小型化を図ることができる。尚、小型化及び省電力化の観点から、本発明に係る電子チューナ用集積回路は、１チップの集積回路であることが好ましい。
【００１７】
また、上記目的を達成するために本発明に係る電子チューナにおいては、受信信号を入力する入力端子と、上記構成の電子チューナ用集積回路と、前記入力端子と前記電子チューナ用集積回路との間に設けられ、前記電子チューナ用集積回路内のゲイン制御電圧出力回路が生成するゲイン制御電圧によって制御される可変利得回路とを備える構成としている。
【００１８】
このような構成によると、レベルメータ機能を実現するために用いることができ、尚かつ低コスト化、省電力化、及び小型化を図ることができる電子チューナを実現することができる。尚、前記可変利得回路は、可変利得増幅器であってもよく可変減衰器であってもよい。
【００１９】
また、上記目的を達成するために本発明に係る電子機器においては、上記構成の電子チューナと、報知手段と、バスと、前記電子チューナ内のＰＬＬ回路に内蔵されるバスコントローラに前記バスを介して同調電圧の値を設定するためのデータを送るとともに、前記バスを介して前記バスコントローラからゲイン制御電圧のデジタルデータを受け取り、前記デジタルデータに基づいて受信信号のレベルを求め、前記受信信号のレベルを前記報知手段に報知させる制御部とを備える構成としている。
【００２０】
このような構成によると、レベルメータ機能を有し、尚かつ低コスト化、省電力化、及び小型化を図ることができる電子機器を実現することができる。尚、前記報知手段には、表示装置、ランプ、音声出力装置等を用いることができる。
【発明の効果】
【００２１】
本発明によると、レベルメータ機能を実現するために用いることができ、尚かつ電子チューナの低コスト化、省電力化、及び小型化を図ることができる電子チューナ用集積回路並びにこれを用いた電子チューナ及び電子機器を実現することできる。
【発明を実施するための最良の形態】
【００２２】
本発明の一実施形態について図面を参照して以下に説明する。本発明に係る電子チューナの一構成例を図１に示す。なお、図１において、図４と同一の部分には同一の符号を付し詳細な説明を省略する。
【００２３】
図１に示す本発明に係る電子チューナ２００は、図４に示す従来の電子チューナ２０２からバスコントローラ１３及びバス１４を取り除き、Ａ／Ｄコンバータ１２が出力するデジタル信号ＳDをＰＬＬ回路７に内蔵されているＩ2Ｃバスコントローラ等のバスコントローラに送るようにした構成である。尚、ミキサ回路６、ＰＬＬ回路７、電圧制御発振回路８、ＲＦ＿ＡＧＣ出力回路１０、及びＡ／Ｄコンバータ１２は、１チップの集積回路１００に搭載されている。
【００２４】
図１に示す本発明に係る電子チューナ２００は、図４に示す従来の電子チューナ２０２のバスコントローラ１３とＰＬＬ回路７に内蔵されているバスコントローラとを共用化して、バスコントローラ１３を設けない構成にしているので、図４に示す従来の電子チューナ２０２に比べて回路構成を簡素化できる。これにより、低コスト化、省電力化、及び小型化を図ることができる。また、Ａ／Ｄコンバータ１２が出力するデジタル信号ＳDをＰＬＬ回路７に内蔵されているバスコントローラに送るので、ＰＬＬ回路７に内蔵されているバスコントローラがデジタル信号ＳDをＩ2Ｃバス等のバス１１を介してマイクロコンピュータ等の外部回路（図示せず）に送ることができる。したがって、図１に示す本発明に係る電子チューナ２００も、図４に示す従来の電子チューナ２０２と同様に、レベルメータ機能を実現するために用いることができる。
【００２５】
また、小型化及び省電力化の観点から、ＲＦ＿ＡＧＣ出力回路１０及びＡ／Ｄコンバータ１２は、本実施形態のようにミキサ回路６、ＰＬＬ回路７、及び電圧制御発振回路８と同一の集積回路チップに搭載されることが望ましい。ＲＦ＿ＡＧＣ出力回路１０及びＡ／Ｄコンバータ１２は、ミキサ回路６、ＰＬＬ回路７、及び電圧制御発振回路８から成る回路部に比べて回路規模が大幅に小さいので、図１に示す本発明に係る電子チューナ２００が有する集積回路１００は、図４に示す従来の電子チューナ２０２が有する集積回路１０１に比べて回路規模が極端に大きくなる事は無い。
【００２６】
尚、図１に示す本発明に係る電子チューナ２００では、集積回路１００から二本の同調電圧出力ラインが引き出されているが、集積回路１００から引き出される同調電圧出力ラインを一本にまとめ、その一本の同調電圧出力ラインが二つに分岐してそれぞれバンドパスフィルタ３及び５に接続される構成としても構わない。これにより、集積回路１００の外部端子数を減らすことができ、本発明に係る電子チューナ用集積回路である集積回路１００ひいては本発明に係る電子チューナ２００の小型化を図ることができる。
【００２７】
また、本実施形態では、ＲＦ＿ＡＧＣ出力回路１０は、ミキサ回路６の出力信号に基づいてＲＦ_ＡＧＣ電圧ＶRF_AGCを発生させているが、ミキサ回路６の入力信号（バンドパスフィルタ５の出力信号）に基づいてＲＦ_ＡＧＣ電圧ＶRF_AGCを発生させても構わない。
【００２８】
次に、本発明に係る電子機器について説明する。本発明に係る電子機器の概略構成の一例を図２に示す。図２に示す本発明に係る電子機器は、アナログＴＶである。なお、図２において図１と同一の部分には同一の符号を付し詳細な説明を省略する。
【００２９】
図２に示す本発明に係る電子機器は、電子チューナ２００と、復調回路９と、バス１１と、マイクロコンピュータ１５と、操作キー等から成る入力部１６と、音声出力装置１７と、表示装置１８とを備えている。
【００３０】
入力部１６は、受信希望チャンネルに関する情報を入力し、マイクロコンピュータ１５に出力する。マイクロコンピュータ１５は、入力した受信希望チャンネルに関する情報をバス１１を介して電子チューナ２００内のＰＬＬ回路７に出力する。これにより、ＰＬＬ回路７は受信希望チャンネルに応じた同調電圧ＶSYNCを生成することができ、電子チューナ２００は受信希望チャンネルに応じた受信希望信号を受信信号の中から選別することができる。
【００３１】
復調回路９は、電子チューナ２００から出力される中間周波信号ＳIFを復調して音声信号及び映像信号等を得て、当該音声信号を音声出力装置１７に出力し、当該映像信号を表示装置１８に出力する。音声出力装置１７は復調回路９から出力される音声信号に応じた音声を出力し、表示装置１８は復調回路９から出力される映像信号に応じた映像を表示画面に表示する。
【００３２】
また、電子チューナ２００内のＰＬＬ回路７は、バス１１を介してデジタル信号ＳDをマイクロコンピュータ１５に出力する。マイクロコンピュータは、入力したデジタル信号ＳDに基づいてアンテナ１から電子チューナ２００に入力される受信信号のレベルを算出し、その算出した受信信号のレベルを画面表示させるための受信信号レベル表示信号を表示装置１８に出力する。表示装置１８は入力した受信信号レベル表示信号に基づいて受信信号レベルを数字やグラフ表示などで表示画面に表示する。
【００３３】
図２に示す本発明に係る電子機器は、レベルメータ機能を実現するために用いることができ、尚かつ低コスト化、省電力化、及び小型化を図ることができる電子チューナ２００を備えているので、受信信号レベルをユーザに報知することができ、尚かつ低コスト化、省電力化、及び小型化を図ることができる
【図面の簡単な説明】
【００３４】
【図１】は、本発明に係る電子チューナの一構成例を示す図である。
【図２】は、本発明に係る電子機器の概略構成の一例を示す図である。
【図３】は、従来の電子チューナの一構成例を図である。
【図４】は、レベルメータ機能を有する従来の電子チューナの一構成例を示す図である。
【符号の説明】
【００３５】
１    アンテナ
２    ＲＦ入力端子
３、５バンドパスフィルタ（ＢＰＦ）
４    ＲＦアンプ
６    ミキサ回路
７    ＰＬＬ回路
８    電圧制御発振回路（ＶＣＯ）
９    復調回路
１０    ＲＦ＿ＡＧＣ出力回路
１１    バス
１２    Ａ／Ｄコンバータ
１５    マイクロコンピュータ
１６    入力部
１７    音声出力装置
１８    表示装置
１００    集積回路
２００    電子チューナ
【図１】
2005333196.tif 000003
【図２】
2005333196.tif 000004
【図３】
2005333196.tif 000005
【図４】
2005333196.tif 000006